(57)【要約】【課題】簡単な構成で、組み立ての容易性を損なうことなく、底部片の変形を防止し、底面が開放（底抜け）して収容物が落下するのを防止し、耐荷重を向上させることが可能な収容箱を提供すること。【解決手段】第２底部片１２０及び第４底部片１４０は、挿入部１５０の端部から第２側面１０２及び第４側面１０４との折曲線１２１、１４１の第３側面１０３側の端部に向かう仮想直線よりも第３底部片１３０側に突出したフラップ部１２３、１４３を有する、および／または、第１底部片１１０は、挿入部１５０の両端から第１側面１０１との折曲線１１１の第２側面１０２側及び第４側面１０４側の端部に向かう仮想直線よりも第２側面１０２側及び第４側面１０４側に突出したフラップ部１１３を有すること。【選択図】図１
2019131268.tif 000002
【特許請求の範囲】
【請求項１】
側壁を形成する第１側面乃至第４側面と、前記第１側面乃至第４側面からそれぞれ折曲線を介して設けられ、折り曲げて底面を形成する第１底部片乃至第４底部片を有する収容箱であって、
前記第３底部片、第２底部片及び第４底部片は、折り曲げて底面を形成した際に共同して挿入部を形成する形状を有し、
前記第１底部片は、前記挿入部に差し込まれる差込片が設けられ、
前記第２底部片及び第４底部片は、前記挿入部の端部から前記第２側面及び第４側面との折曲線の前記第３側面側の端部に向かう仮想直線よりも前記第３底部片側に突出したフラップ部を有することを特徴とする収容箱。
【請求項２】
側壁を形成する第１側面乃至第４側面と、前記第１側面乃至第４側面からそれぞれ折曲線を介して設けられ、折り曲げて底面を形成する第１底部片乃至第４底部片を有する収容箱であって、
前記第３底部片、前記第２底部片及び第４底部片は、折り曲げて底面を形成した際に共同して挿入部を形成する形状を有し、
前記第１底部片には前記挿入部に差し込まれる差込片が設けられ、
前記第１底部片は、前記挿入部の両端から前記第１側面との折曲線の前記第２側面側及び前記第４側面側の端部に向かう仮想直線よりも前記第２側面側及び前記第４側面側に突出したフラップ部を有することを特徴とする収容箱。
【請求項３】
前記仮想直線上に、前記フラップ部の屈曲を容易とする罫線あるいは部分的な切断線の少なくとも一方を有することを特徴とする請求項１または請求項２に記載の収容箱。
【請求項４】
前記第１底部片の差込片は、先端側に前記挿入部より幅の広い部分を形成する抜止凸部を有することを特徴とする請求項１乃至請求項３のいずれかに記載の収容箱。
【請求項５】
前記第３底部片は、前記挿入部が形成される部分より先端側に前記挿入部より幅の狭い部分を形成するロック部を有することを特徴とする請求項４に記載の収容箱。
【発明の詳細な説明】
【技術分野】
【０００１】
本発明は、側壁を形成する第１側面乃至第４側面と、前記第１側面乃至第４側面からそれぞれ折曲線を介して設けられ、折り曲げて底面を形成する第１底部片乃至第４底部片を有する収容箱に関する。
【背景技術】
【０００２】
従来から、収容箱として、図４の展開図に示すように、側壁を形成する第１側面５０１、第２側面５０２、第３側面５０３及び第４側面５０４と、第１側面５０１、第２側面５０２、第３側面５０３及び第４側面５０４からそれぞれ折曲線５１１、５２１、５３１、５４１を介して設けられ、折り曲げて底面を形成する第１底部片５１０、第２底部片５２０、第３底部片５３０及び第４底部片５４０を有したものが公知である。
この公知の収容箱は、第１側面５０１、第２側面５０２、第３側面５０３及び第４側面５０４が角筒形状に組み立てられた後、まず、図５に示すように、第３底部片５３０が折曲線５３１で折り曲げられ、それに重ねるように第２底部片５２０及び第４底部片５４０が折曲線５２１、５４１で折り曲げられ、第２底部片５２０及び第４底部片５４０の挿入部形成係止凸部５２２、５４２が第３底部片５３０の挿入部形成凹部５３２の底部に挿入されて係止され、挿入部形成凹部５３２の底部の幅の挿入部５５０が形成される。
さらに、図６に示すように、第１底部片５１０が折曲線５１１で折り曲げられ、先端側の差込片５１２が挿入部形成凹部５３２の底部の挿入部５５０に挿入されることで、底面が形成される。
【先行技術文献】
【特許文献】
【０００３】
【特許文献１】実開平３−４３４１４号公報
【発明の概要】
【発明が解決しようとする課題】
【０００４】
この公知の収容箱は、簡単な組み立てで底面が形成でき、ある程度の収容物の荷重に耐えることができるが、許容以上の重量を収容した状態で収容箱を持ち上げた際には、第１底部片５１０、第２底部片５２０、第３底部片５３０及び第４底部片５４０が下方に変形して、差込片５１２が挿入部５５０から抜け、挿入部形成係止凸部５２２、５４２の挿入部形成凹部５３２の底部との係合が外れて、底面が開放（いわゆる底抜け）して収容物が落下してしまう虞があった。
このような問題に対処し、耐荷重を増加させるため、例えば特許文献１のように、差込片（挿入片１７）に挿入部（挿入口９）の最深部よりも幅広な突出部（２１）を設け、挿入部（挿入口９）の最深部の手前に、突出部（２１）が通過可能な切込部（２３）を設けたものが公知である。
【０００５】
しかしながら、この公知のものでは、ある程度耐荷重性は向上するものの、底面を開放（底抜け）する力が、突出部（２１）の係合部分に集中するため、材料によっては突出部（２１）が破断したり変形して、底面が開放（底抜け）して収容物が落下してしまう虞があった。
また、材料の撓みや延び、係合部の遊び等で、第１底部片、第２底部片、第３底部片及び第４底部片（底部片１１、１３、１９、１５）が下方にある程度変形することは避けられず、持ち上げ移動時の振動や収容物の移動に伴い、突出部（２１）が移動して切込部（２３）を通過し、突然、底面が開放（底抜け）して収容物が落下してしまう虞があった。
【０００６】
そこで本発明は、簡単な構成で、組み立ての容易性を損なうことなく、底部片の変形を防止し、底面が開放（底抜け）して収容物が落下するのを防止し、耐荷重を向上させることが可能な収容箱を提供することを目的とする。
【課題を解決するための手段】
【０００７】
本発明は、側壁を形成する第１側面乃至第４側面と、前記第１側面乃至第４側面からそれぞれ折曲線を介して設けられ、折り曲げて底面を形成する第１底部片乃至第４底部片を有する収容箱であって、前記第３底部片、第２底部片及び第４底部片は、折り曲げて底面を形成した際に共同して挿入部を形成する形状を有し、前記第１底部片は、前記挿入部に差し込まれる差込片が設けられ、前記第２底部片及び第４底部片は、前記挿入部の端部から前記第２側面及び第４側面との折曲線の前記第３側面側の端部に向かう仮想直線よりも前記第３底部片側に突出したフラップ部を有することにより、前記課題を解決するものである。
【０００８】
また、側壁を形成する第１側面乃至第４側面と、前記第１側面乃至第４側面からそれぞれ折曲線を介して設けられ、折り曲げて底面を形成する第１底部片乃至第４底部片を有する収容箱であって、前記第３底部片、前記第２底部片及び第４底部片は、折り曲げて底面を形成した際に共同して挿入部を形成する形状を有し、前記第１底部片には前記挿入部に差し込まれる差込片が設けられ、前記第１底部片は、前記挿入部の両端から前記第１側面との折曲線の前記第２側面側及び前記第４側面側の端部に向かう仮想直線よりも前記第２側面側及び前記第４側面側に突出したフラップ部を有することにより、前記課題を解決するものである。
【発明の効果】
【０００９】
本請求項１に係る発明の収容箱によれば、第２底部片及び第４底部片は、挿入部の端部から第２側面及び第４側面との折曲線の第３側面側の端部に向かう仮想直線よりも第３底部片側に突出したフラップ部を有することにより、フラップ部は、底面を構成するから独立して下方に湾曲あるいは屈曲させることが可能となる。
そして、組み立て時にフラップ部を湾曲あるいは屈曲させることにより、収容物の荷重方向に対して、第２底部片及び第４底部片の剛性が増し、変形が生じにくくなるため、底面が開放（底抜け）して収容物が落下するのを防止し、耐荷重を向上させることが可能となる。
【００１０】
本請求項２に係る発明の収容箱によれば、第１底部片は、挿入部の両端から第１側面との折曲線の第２側面側及び第４側面側の端部に向かう仮想直線よりも第２側面側及び第４側面側に突出したフラップ部を有することにより、フラップ部は、底面を構成するから独立して下方に湾曲あるいは屈曲させることが可能となる。
そして、組み立て時にフラップ部を湾曲あるいは屈曲させることにより、収容物の荷重方向に対して、第１底部片の剛性が増し、変形が生じにくくなるため、底面が開放（底抜け）して収容物が落下するのを防止し、耐荷重を向上させることが可能となる。
【００１１】
本請求項３に記載の構成によれば、仮想直線上に、フラップ部の屈曲を容易とする罫線あるいは部分的な切断線の少なくとも一方を有することで、組み立て時に容易にフラップ部を湾曲あるいは屈曲させることができる。
本請求項４に記載の構成によれば、第１底部片の差込片は、先端側に挿入部より幅の広い部分を形成する抜止凸部を有することにより、第１底部片の差込片の抜けが抑制されるため、さらに底面が開放（底抜け）して収容物が落下するのを防止し、耐荷重を向上させることが可能となる。
本請求項５に記載の構成によれば、第３底部片は、挿入部が形成される部分より先端側に前記挿入部より幅の狭い部分を形成するロック部を有することにより、第１底部片の差込片の抜けがさらに抑制される。
【図面の簡単な説明】
【００１２】
【図１】本発明の一実施形態である収容箱の展開図。
【図２】本発明の一実施形態である収容箱の組み立て途中（挿入部形成時）の底面図。
【図３】本発明の一実施形態である収容箱の組み立て後の底面図。
【図４】従来の収容箱の展開図。
【図５】従来の収容箱の組み立て途中（挿入部形成時）の底面図。
【図６】従来の収容箱の組み立て後の底面図。
【発明を実施するための形態】
【実施例】
【００１３】
本発明の一実施形態である収容箱は、図１の展開図に示すように、側壁を形成する第１側面１０１、第２側面１０２、第３側面１０３及び第４側面１０４と、第１側面１０１、第２側面１０２、第３側面１０３及び第４側面１０４からそれぞれ折曲線１１１、１２１、１３１、１４１を介して設けられ、折り曲げて底面を形成する第１底部片１１０、第２底部片１２０、第３底部片１３０及び第４底部片１４０を有している。
第３底部片１３０には挿入部形成凹部１３２が設けられており、第２底部片１２０及び第４底部片１４０には挿入部形成係止凸部１２２、１４２がそれぞれ設けられている。
図２に示すように、第３底部片１３０が折曲線１３１で折り曲げられ、それに重ねるように第２底部片１２０及び第４底部片１４０が折曲線１２１、１４１で折り曲げられ、第２底部片１２０及び第４底部片１４０の挿入部形成係止凸部１２２、１４２が第３底部片１３０の挿入部形成凹部１３２の底部に挿入されて係止されることで、挿入部形成凹部１３２の底部の幅の挿入部１５０が形成される。
【００１４】
第１底部片１１０には挿入部１５０に差し込まれる差込片１１２が設けられるとともに、両サイドにフラップ部１１３が設けられている。
フラップ部１１３は、差込片１１２が差し込まれた際の挿入部１５０の両端から第１側面１０１との折曲線１１１の第２側面１０２側及び第４側面１０４側の端部に向かう仮想直線よりも第２側面１０２側及び第４側面１０４側に突出した形状である。
また、仮想直線上には、フラップ部１１３の屈曲を容易とするため、罫線と部分的な切断線（ミシン目）が交互に連続する屈曲補助線１１４が設けられている。
さらに、第１底部片１１０の差込片１１２は、先端側に挿入部１５０より幅の広い部分を形成する抜止凸部１１５を有している。
【００１５】
第２底部片１２０及び第４底部片１４０は、それぞれ、第３底部片１３０側にフラップ部１２３、１４３が設けられている。
フラップ部１２３、１４３は、挿入部１５０の端部から第２側面１０２及び第４側面１０４との折曲線１２１、１４１の第３側面１０３側の端部に向かう仮想直線よりも第３底部片１３０側に突出した形状である。
また、仮想直線上には、フラップ部１２３、１４３の屈曲を容易とするため、罫線と部分的な切断線（ミシン目）が交互に連続する屈曲補助線１２４、１４４が設けられている。
第３底部片１３０の挿入部形成凹部１３２には、挿入部１５０が形成される部分より先端側に挿入部１５０より幅の狭い部分を形成するロック部１３３が設けられている。
【００１６】
この収容箱を組み立てる際には、第１側面１０１、第２側面１０２、第３側面１０３及び第４側面１０４を角筒形状に組み立てる。
角筒形状に組み立てるにあたっては、図１における展開された状態から、第１側面１０１と第４側面１０４の端部を固定する必要があるが、製造最終時点で接着や止め金具等で固定してもよく、差し込み構造等を採用して使用時直前に差し込んで形成してもよい。
角筒形状とした後、図２に示すように、まず、第３底部片１３０を折曲線１３１で折り曲げ、それに重ねるように第２底部片１２０及び第４底部片１４０を折曲線１２１、１４１で折り曲げ、第２底部片１２０及び第４底部片１４０の挿入部形成係止凸部１２２、１４２を第３底部片１３０の挿入部形成凹部１３２の底部に挿入して係止する。
この時、挿入部形成凹部１３２の底部の幅の挿入部１５０が形成される。
次いで、図３に示すように、第１底部片１１０を折曲線１１１で折り曲げ、先端側の差込片１１２を挿入部形成凹部１３２の底部の挿入部１５０に挿入することで、底面を形成する。
さらに、４箇所のフラップ部１１３、１２３、１４３を屈曲補助線１１４、１２４、１４４に沿って屈曲し、僅かに折り癖を付与する。
【００１７】
このように底面が形成された収容箱を、収容物が収容された状態で持ち上げた際の作用について説明する。
収容物の荷重から受ける力は、第１底部片１１０、第２底部片１２０、第３底部片１３０及び第４底部片１４０を折曲線１１１、１２１、１３１、１４１に沿って回動させる力として働く。
この際に、本来であれば、第１底部片１１０、第２底部片１２０、第３底部片１３０及び第４底部片１４０が組み合わさっているため、第１底部片１１０の差込片１１２が変形しない限り挿入部１５０から抜けることはなく、底面は維持され、底面が開放（底抜け）することはない。
しかしながら、第２底部片１２０、第３底部片１３０及び第４底部片１４０に撓みや曲がり等が生じると、第１底部片１１０、第２底部片１２０、第３底部片１３０及び第４底部片１４０の先端側が挿入部１５０から離れる方向の力として作用し、挿入部１５０が変形したり、差込片１１２が挿入部１５０から抜ける方向に力が加わったりして、差込片１１２が変形しなくても、底面が開放（底抜け）して収容物が落下してしまう。
【００１８】
本実施形態では、４箇所のフラップ部１１３、１２３、１４３を屈曲補助線１１４、１２４、１４４に沿って屈曲していることで、収容物の荷重から受ける力に対しての剛性が向上するため、曲がりや撓みが生じにくくなり、挿入部１５０が変形したり、差込片１１２が挿入部１５０から抜ける方向に力が加わることが抑制され、差込片１１２が変形しない限り、底面が開放（底抜け）して収容物が落下することはなく、耐荷重を向上させることが可能となる。
また、屈曲補助線１１４、１２４、１４４を組み立て後に屈曲すれば、組み立て時に第２底部片１２０及び第４底部片１４０の挿入部形成係止凸部１２２、１４２を第３底部片１３０の挿入部形成凹部１３２の底部に挿入する際や、第１底部片１１０の差込片１１２を挿入部１５０に差し込む際には、第１底部片１１０、第２底部片１２０、第３底部片１３０及び第４底部片１４０の剛性は従来のものと同様であり、組み立ての容易性を損なうことはない。
【００１９】
さらに、本実施形態では、第１底部片１１０の差込片１１２は、先端側に挿入部１５０より幅の広い部分を形成する抜止凸部１１５を有し、第３底部片１３０の挿入部形成凹部１３２には、挿入部１５０が形成される部分より先端側に挿入部１５０より幅の狭い部分を形成するロック部１３３が設けられていることで、差込片１１２の抜け方向への移動が抑制される。
【００２０】
本実施形態では、第１底部片１１０、第２底部片１２０及び第４底部片１４０にそれぞれフラップ部１１３、１２３、１４３を設けたが、第１底部片１１０のフラップ部１１３のみを設けてもよく、第２底部片１２０及び第４底部片１４０のフラップ部１２３、１４３のみを設けてもよい。
また、本実施形態では、仮想直線上には、フラップ部１２３、１４３の屈曲を容易とするため、罫線と部分的な切断線（ミシン目）が交互に連続する屈曲補助線１２４、１４４を設けたが、いかなる形状ものであってもよく、物理的には何らの加工もされておらず、組み立て時に作業者が湾曲あるいは屈曲させてもよい。
さらに、フラップ部１１３、１２３、１４３の形状や寸法は、仮想直線より突出し、湾曲あるいは屈曲することで第１底部片１１０、第２底部片１２０及び第４底部片１４０の剛性を増大させるものであれば、いかなるものであってもよい。
また、収容箱は、段ボールで形成されるのが一般的であるが、その紙質はいかなるものであってもよく、種々のコーティングが行われたもの、紙以外の樹脂等で形成されたものであってもよい。
【符号の説明】
【００２１】
１０１、５０１  ・・・  第１側面
１０２、５０２  ・・・  第２側面
１０３、５０３  ・・・  第３側面
１０４、５０４  ・・・  第４側面
１１０、５１０  ・・・  第１底部片
１１１、５１１  ・・・  折曲線
１１２、５１２  ・・・  差込片
１１３          ・・・  フラップ部
１１４          ・・・  屈曲補助線
１１５          ・・・  抜止凸部
１２０、５２０  ・・・  第２底部片
１２１、５２１  ・・・  折曲線
１２２、５２２  ・・・  挿入部形成係止凸部
１２３          ・・・  フラップ部
１２４          ・・・  屈曲補助線
１３０、５３０  ・・・  第３底部片
１３１、５３１  ・・・  折曲線
１３２、５３２  ・・・  挿入部形成凹部
１３３          ・・・  ロック部
１４０、５４０  ・・・  第４底部片
１４１、５４１  ・・・  折曲線
１４２、５４２  ・・・  挿入部形成係止凸部
１４３          ・・・  フラップ部
１４４          ・・・  屈曲補助線
１５０、５５０  ・・・  挿入部
【図１】
2019131268.tif 000003
【図２】
2019131268.tif 000004
【図３】
2019131268.tif 000005
【図４】
2019131268.tif 000006
【図５】
2019131268.tif 000007
【図６】
2019131268.tif 000008